(57)【要約】      （修正有）【課題】ケースに凸部や切り起しなどを形成することなく、回路基板を保持可能な電気機器およびこの電気機器を具備する照明器具を提供する。【解決手段】電気機器１は、底面部２ａ、一対の第１の側面部２ｂ，２ｂおよび一対の第１の側面部２ｂ，２ｂよりも内側に偏位して上方に形成された一対の第２の側面部２ｃ，２ｃを有する金属製のベースケース２と、設置部３ｃ、一対の支持部３ｄ，３ｄおよび一対の載置部３ｅ，３ｅを有する絶縁シート３と、電気部品７が実装され、絶縁シート３の一対の載置部３ｅ，３ｅに載置されて、絶縁シート３を介して一対の載置部３ｅ，３ｅおよびベースケース２の一対の第２の側面部２ｃ，２ｃの下端２ｃａ，２ｃａにより挟持されている回路基板４と、天板部５ａおよびベースケース２の一対の第２の側面部２ｃ，２ｃの外面に重なり合う一対の側板部５ｃ，５ｃを有する金属製のカバーケース５を具備している。【選択図】図１
2010277720.tif 000002
【特許請求の範囲】
【請求項１】
長方形状の底面部、この底面部の長手方向に沿う両側から上方に形成された一対の第１の側面部およびこの一対の第１の側面部の上端から前記一対の第１の側面部よりも内側に偏位して上方に形成された一対の第２の側面部を有する金属製のベースケースと；  前記底面部に設置される長方形状の設置部、この設置部の長手方向に沿う両側から上方に形成された一対の支持部、この一対の支持部の上端から前記設置部と平行な面を形成して外側にそれぞれ延在した一対の載置部およびこの一対の載置部の外方端から前記一対の第１の側面部の内面および前記一対の第２の側面部の内面に沿って上方に延在する両端部を有し、一枚の絶縁材から形成された絶縁シートと；  電気部品が実装され、前記絶縁シートの一対の載置部に載置されて、前記絶縁シートを介して前記一対の載置部および前記ベースケースの一対の第２の側面部の下端により挟持されている回路基板と；  天板部およびこの天板部の長手方向に沿う両側から下方に前記ベースケースの一対の第２の側面部の外面に重なり合うように形成された一対の側板部を有し、前記ベースケースに嵌着されている金属製のカバーケースと；を具備していることを特徴とする電気機器。
【請求項２】
前記一対の第２の側面部は、前記ベースケースに前記カバーケースが嵌着されているときに前記一対の第１の側面部の外面および前記一対の側板部の外面が同一面状となるように形成されていることを特徴とする請求項１記載の電気機器。
【請求項３】
回路基板が放電ランプを点灯させる点灯回路を構成する電気部品を実装している請求項１または２記載の電気機器と；  この電気機器により点灯される放電ランプと；  前記電気機器および前記放電ランプを配設している器具本体と；を具備していることを特徴とする照明器具。
【発明の詳細な説明】
【技術分野】
【０００１】
本発明は、電気部品を実装した回路基板を金属製のケースに収納して形成される電気機器およびこの電気機器を配設している照明器具に関する。
【背景技術】
【０００２】
例えば、電気機器としての放電ランプ用点灯装置は、蛍光ランプ等の放電ランプを点灯させるものであり、所謂電子安定器と称されるものが提供されている。この電子安定器は、電気部品が実装された回路基板（プリント基板）を金属製のベースケースおよびカバーケースの間に、これらから電気絶縁して配置し、ベースケースにカバーケースを嵌合して構成されている。電子安定器は、前記電気絶縁のために、ベースケースおよびカバーケースの内面を絶縁シートで覆っている。  
【０００３】
そして、回路基板は、ベースケースおよびカバーケースに支持され固定されている。例えば、特許文献１の放電灯点灯装置は、金属製のケース本体（ベースケース）の両脚片の各内面に、プリント基板とケース本体の中央片との間の距離を規定距離に保つようにプリント基板の４隅を支持する支持部が一体に形成されるとともに、支持部との間でプリント基板の４隅を挟持する４つの保持部が一体に突設されているものである。さらに、ケース本体の両脚片の内側面に、プリント基板の長手方向への移動を規制する規制部が一体に突設されているものである。  
【０００４】
また、特許文献２の放電灯点灯装置は、ベースケースのベース主壁の長手方向両端部に、その内側に起立する端部基板支えが夫々一対切り起こされ、ベース主壁の長手方向中間部に、その内側に起立する中間部基板支えが複数切り起されている。また、夫々のカバー側壁の長手方向両端の角部に位置し、カバーケースの内側に折り曲げられた連結凸部が切り起しで形成されている。そして、プリント基板は、その厚み方向で、各基板支えと各連結凸部とにより挟まれて固定されるものである。
【先行技術文献】
【特許文献】
【０００５】
【特許文献１】特開２００２−１７５７１８号公報（第５頁、第１図）
【特許文献２】特開２００３−１００１４０号公報（第４−６頁、第２、４、６図）
【発明の概要】
【発明が解決しようとする課題】
【０００６】
ベース主壁（中央片）、ベース側壁（脚片）およびカバー側壁には、凸部や切り起しなどにより支持部や保持部が多く形成されているが、これらがプリント基板を支持、保持する領域が多くなると、その分、プリント基板のデットスペースが多くなり、電気部品の実装や回路設計の制約が多くなって、プリント基板を小型化しにくいという欠点を有する。また、ケース製造の自動化での設備仕様が多くなり、設備費用が大きくなって、放電灯点灯装置のコストダウンを図りにくいという欠点を有する。  
【０００７】
本発明は、ケースに凸部や切り起しなどを形成することなく、回路基板を保持可能な電気機器およびこの電気機器を具備する照明器具を提供することを目的とする。
【課題を解決するための手段】
【０００８】
請求項１に記載の電気機器の発明は、長方形状の底面部、この底面部の長手方向に沿う両側から上方に形成された一対の第１の側面部およびこの一対の第１の側面部の上端から前記一対の第１の側面部よりも内側に偏位して上方に形成された一対の第２の側面部を有する金属製のベースケースと；前記底面部に設置される長方形状の設置部、この設置部の長手方向に沿う両側から上方に形成された一対の支持部、この一対の支持部の上端から前記設置部と平行な面を形成して外側にそれぞれ延在した一対の載置部およびこの一対の載置部の外方端から前記一対の第１の側面部の内面および前記一対の第２の側面部の内面に沿って上方に延在する両端部を有し、一枚の絶縁材から形成された絶縁シートと；電気部品が実装され、前記絶縁シートの一対の載置部に載置されて、前記絶縁シートを介して前記一対の載置部および前記ベースケースの一対の第２の側面部の下端により挟持されている回路基板と；天板部およびこの天板部の長手方向に沿う両側から下方に前記ベースケースの一対の第２の側面部の外面に重なり合うように形成された一対の側板部を有し、前記ベースケースに嵌着されている金属製のカバーケースと；を具備していることを特徴とする。  
【０００９】
本発明および以下の各発明において、特に言及しない限り、各構成は以下による。  
【００１０】
「上方」または「下方」とは、ベースケースの底面部を例えば地上面に置いたときの重力が作用する方向を「下方」、その反対を「上方」としている。  
【００１１】
絶縁シートは、設置部、支持部および載置部が形成され、かつ潰れることなく電気部品が実装された回路基板を支持する剛性を有するとともに弾性を有する電気絶縁材であり、例えばポリエステルフィルムを用いて形成することができる。絶縁シートは、その厚さが０．１〜０．３ｍｍであっても回路基板を支持可能なものが提供されており、例えば東レ（株）製のルミラー（登録商標）を用いることができる。  
【００１２】
回路基板は、絶縁シートを介してベースケースの一対の第２の側面部間に嵌入されて一対の第１の側面部の内側に挿入可能に、その幅方向（短手方向）の寸法（大きさ）が設定されている。例えば、回路基板の幅寸法が一対の第２の側面部間よりも０．５〜１．０ｍｍ大きいものであれば、一対の第２の側面部を拡開して一対の第１の側面部の内側に挿入可能である。  
【００１３】
天板部は、例えば、平坦状の水平部に形成されていてもよく、カバーケースの幅方向において断面山形に形成された一対の傾斜部に形成されていてもよく、カバーケースの幅方向において断面台形である水平部およびこの水平部の長手方向両側から下方に傾斜する一対の傾斜部に形成されていてもよい。  
【００１４】
「嵌着」とは、例えば、カバーケースの一対の側板部がベースケースの一対の第２の側面部を挟持していること、一対の側板部および一対の第２の側面部に設けられた係合部および係合受部が係合することなどにより、カバーケースがベースケースに取り付けられることを意味する。  
【００１５】
本発明によれば、回路基板は、絶縁シートの一対の載置部およびベースケースの一対の第２の側面部の下端で挟持されることにより保持され、一対の第１の側面部の内側に収納される。  
【００１６】
請求項２に記載の電気機器の発明は、請求項１記載の電気機器の発明において、前記一対の第２の側面部は、前記ベースケースに前記カバーケースが嵌着されているときに前記一対の第１の側面部の外面および前記一対の側板部の外面が同一面状となるように形成されていることを特徴とする。  
【００１７】
ベースケースの一対の第２の側面部は、一対の第１の側面部よりも内側に偏位して形成され、カバーケースの一対の側板部は、ベースケースの一対の第２の側面部の外面に重なり合うように形成されるので、一対の第１の側面部の外面と一対の側板部の外面が同一面状となるときに、ベースケースにおける一対の第２の側面部間は最大の間隔となる。  
【００１８】
本発明によれば、ベースケースの一対の第１の側面部の外面およびカバーケースの一対の側板部の外面が同一面状となることにより、ベースケースにおける一対の第２の側面部間が最大となるので、それに付随して回路基板の幅寸法も大きくなり、電気部品の実装面積が大きくなる。  
【００１９】
請求項３に記載の照明器具の発明は、回路基板が放電ランプを点灯させる点灯回路を構成する電気部品を実装している請求項１または２記載の電気機器と；この電気機器により点灯される放電ランプと；前記電気機器および前記放電ランプを配設している器具本体と；を具備していることを特徴とする。  
【００２０】
本発明によれば、回路基板が放電ランプを点灯させるように構成された請求項１または２記載の電気機器を配設する照明器具が提供される。
【発明の効果】
【００２１】
請求項１の発明によれば、回路基板が絶縁シートの一対の載置部およびベースケースの一対の第２の側面部の下端で挟持されて保持され、ベースケースおよびカバーケースにおける凸部や切り起しなどによる支持部や保持部の形成が少なくて済むので、ケース構造を簡素化することができるとともに、ケース製造に対する設備費を削減することができて電気機器を安価に製造することができる。  
【００２２】
請求項２の発明によれば、ベースケースの一対の第１の側面部の外面およびカバーケースの一対の側板部の外面が同一面状となるので、ケース構造の外観性を向上させることができる。  
【００２３】
請求項３の発明によれば、回路基板が放電ランプを点灯させるように構成された請求項１または２記載の電気機器を具備するので、安価に形成可能な照明器具を提供することができる。
【図面の簡単な説明】
【００２４】
【図１】本発明の実施例１を示す電気機器であり、（ａ）は概略縦断面図、（ｂ）は概略横断面図。
【図２】同じく、ベースケースに絶縁シートおよび回路基板を挿入する状態の概略縦断面図。
【図３】同じく、ベースケースにカバーケースを嵌着する状態の概略縦断面図。
【図４】本発明の実施例２を示す照明器具であり、（ａ）は概略上面図、（ｂ）は概略正面図、（ｃ）は一部切り欠き概略側面図。
【発明を実施するための形態】
【００２５】
以下、本発明の一実施の形態について、図面を参照して説明する。  
【００２６】
本発明において、ベースケースは、一対の側面部を一対の第１の側面部および一対の第２の側面部に形成し、絶縁シートは、回路基板を載置する一対の載置部および回路基板を支持する一対の支持部を形成している。回路基板は、絶縁シートの一対の載置部とベースケースの一対の第２の側面部の下端とにより挟持されて保持される。ベースケースおよびカバーケースにおいて、回路基板を保持するための支持部や保持部としての凸部や切り起し片などを形成しないものであり、あるいは少なく形成するものである。
【実施例１】
【００２７】
図１ないし図３は、本発明の実施例１を示し、図１は電気機器であり、（ａ）は概略縦断面図、（ｂ）は概略横断面図、図２はベースケースに絶縁シートおよび回路基板を挿入する状態の概略縦断面図、図３はベースケースにカバーケースを嵌着する状態の概略縦断面図である。  
【００２８】
図１において、電気機器１は、放電ランプを点灯させる放電ランプ用点灯装置であり、ベースケース２、絶縁シート３、回路基板４およびカバーケース５を有して構成されている。ベースケース２は、絶縁シート３を介して回路基板４を収納している。絶縁シート３は、回路基板４を被って、回路基板４と金属製のベースケース２およびカバーケース５との電気的接触を防止している。回路基板４は、放電ランプを点灯させる点灯回路６を構成する電気部品７を実装している。カバーケース５は、ベースケース２との間で回路基板４を収納するようにベースケース２に嵌着されている。  
【００２９】
ベースケース２は、例えば１枚の金属製であって長方形状の平板を折り曲げて、底面部２ａ、一対の第１の側面部２ｂ，２ｂおよび一対の第２の側面部２ｃ，２ｃに形成されている。金属としては、例えば鋼板やアルミニウム合金が用いられている。底面部２ａは、細長い長方形状に形成されている。一対の第１の側面部２ｂ，２ｂは、底面部２ａの長手方向に沿う両側から上方に折り曲げられて形成され、底面部２ａとほぼ直交し互いに対向している。  
【００３０】
一対の第２の側面部２ｃ，２ｃは、一対の第１の側面部２ｂ，２ｂの長手方向に沿う上端２ｂａ，２ｂａに連設して設けられ、一対の第１の側面部２ｂ，２ｂよりも内側に偏位し、前記上端２ｂａ，２ｂａよりも上方に所定長突出して形成している。すなわち、平板を前記上端２ｂａ，２ｂａから一対の第１の側面部２ｂ，２ｂの内側に折り曲げて、さらに、一対の第１の側面部２ｂ，２ｂの外面とカバーケース５の板厚（例えば０．６ｍｍ）分の段差を有するように上方に折り曲げられて形成されている。一対の第２の側面部２ｃ，２ｃは、底面部２ａに対してほぼ直交し互いに対向しているとともに、一対の第１の側面部２ｂ，２ｂより大きく突出させて形成されている。  
【００３１】
また、一対の
第２の側面部２ｃ，２ｃの外面側には、ベースケース２の両端側２ｅ，２ｆにおいて、図示しない嵌合凹部が形成されている。  
【００３２】
そして、ベースケース２は、その両端側２ｅ，２ｆにおいて、一対の第１の側面部２ｂ，２ｂおよび一対の第２の側面部２ｃ，２ｃが互いに下側に向かって拡がる傾斜部２ｄ，２ｄに形成されており、全体として略台形状に形成されている。また、その両端側２ｅ，２ｆの底面部２ａには、底面部２ａの長手方向において回路基板４の移動を規制する一対の起立片８，８が切り起しにより形成されている。  
【００３３】
絶縁シート３は、きわめて優れた強靭性、電気絶縁性および耐熱性などを有する一枚の平面状に形成された絶縁材例えばポリエステル（ＰＥＴ）フィルムからなり、例えば東レ（株）製「ルミラー（登録商標）」が用いられている。絶縁シート３の厚さは、例えば０．１２５ｍｍである。そして、絶縁シート３は、両端部３ａ，３ｂに対する中間部分に熱加工などにより設置部３ｃ、一対の支持部３ｄ，３ｄおよび一対の載置部３ｅ，３ｅが形成されている。  
【００３４】
設置部３ｃは、ベースケース２の底面部２ａに設置される大きさの長方形状に形成されている。一対の支持部３ｄ，３ｄは、設置部３ｃの長手方向に沿う両側から上方に突出形成されている。一対の載置部３ｅ，３ｅは、一対の支持部３ｄ，３ｄの長手方向に沿う上端３ｄａ，３ｄａから設置部３ｃと平行な面を形成して一対の支持部３ｄ，３ｄの外側にそれぞれ延在している。  
【００３５】
そして、一対の載置部３ｅ，３ｅは、回路基板４の下面４ｂを載置している。一対の支持部３ｄ，３ｄは、回路基板４の下面４ｂがベースケース２の底面部２ａから所定長以上離間するとともに、回路基板４の上面４ａが絶縁シート３を介してベースケース２の一対の第２の側面部２ｃ，２ｃの下端２ｃａ，２ｃａを押圧するように、その上方への突出長が設定されている。設置部３ｃは、ベースケース２の一対の起立片８，８間の底面部２ａに設置され、一対の支持部３ｄ，３ｄが回路基板４を支持することのできるように、その大きさが設定されている。  
【００３６】
一対の支持部３ｄ，３ｄは、一対の載置部３ｅ，３ｅに回路基板４が載置されてないときには設置部３ｃから起立しているが、一対の載置部３ｅ，３ｅに回路基板４が載置されると、電気部品７を実装した回路基板４の重量例えば２１０グラム（ｇ）により押し潰されることなく弾性変形する。  
【００３７】
そして、絶縁シート３の両端部３ａ，３ｂは、それぞれ一対の載置部３ｅ，３ｅの外方端３ｅａ，３ｅａからベースケース２の第１の側面部２ｂの内面および第２の側面部２ｃの内面に沿って延在し、一対の第２の側面部２ｃ，２ｃから上方に突出している。また、絶縁シート３は、回路基板４の電気部品７を包囲するとともにカバーケース５に収納されるように、その長手方向の大きさが予め設定されている。  
【００３８】
回路基板４は、放電ランプを点灯させる点灯回路６を構成する電気部品７を実装している。回路基板４は、例えばガラスエポキシ材や紙フェノール材などからなり、長方形状に形成され、その長手方向の寸法がベースケース２の底面部２ａに設けられた起立片８，８間よりも幾分小さく、その幅寸法が一対の第２の側面部２ｃ，２ｃ間の寸法より０．５〜１．０ｍｍ大きくなるようにしている。回路基板４の厚さは、例えば１．５ｍｍである。  
【００３９】
そして、回路基板４は、その上面４ａにおいて、長手方向の両端側にそれぞれ入力用端子台９および出力用端子台１０を配設している。入力用端子台９には、商用交流電源からの電源線が接続され、出力用端子台１０からは、放電ランプが装着されるランプソケットに接続されるリード線が導出される。  
【００４０】
電気部品７は、入力用端子台９および出力用端子台１０の間に実装され、抵抗Ｒ１，Ｒ２、コンデンサＣ１、インダクタＬ１やトランジスタＱ１，Ｑ２などによって、交流電圧を直流電圧に変換する直流電源回路、直流電圧を高周波交流電圧に変換するインバータ回路や放電ランプに共振電圧を印加する共振回路などを形成し、全体としての点灯回路６を形成している。  
【００４１】
回路基板４は、ベースケース２の一対の第１の側面部２ｂ，２ｂ間に収納されている。すなわち、回路基板４は、図２に示すように、その下面４ｂが絶縁シート３の一対の載置部３ｅ，３ｅに載置された後、絶縁シート３の設置部３ｃとベースケース２の底面部２ａが平行となるようにして、ベースケース２の一対の第２の側面部２ｃ，２ｃ間に嵌入（挿入）される。このとき、回路基板４をその長手方向がベースケース２の底面部２ａに設けられた一対の起立片８，８間に位置させる。また、回路基板４は、その幅寸法が一対の第２の側面部２ｃ，２ｃ間の寸法より０．５〜１．０ｍｍ大きく、その長手方向に沿う両側には、厚さ０．１２５ｍｍの絶縁シート３がそれぞれ介在するので、一対の第２の側面部２ｃ，２ｃを幾分拡開させるようにする。  
【００４２】
そして、一対の第２の側面部２ｃ，２ｃ間に嵌入した絶縁シート３および回路基板４をベースケース２の底面部２ａ側に押し込む。回路基板４が一対の第１の側面部２ｂ，２ｂの上端２ｂａ，２ｂａよりも底面部２ａ側に嵌入されると、拡開された一対の第２の側面部２ｃ，２ｃは、当初の位置に弾性復帰する。  
【００４３】
絶縁シート３は、図３に示すように、その設置部３ｃが底面部２ａに当接し、一対の支持部３ｄ，３ｄが幾分弾性変形する。この弾性変形した一対の支持部３ｄ，３ｄの弾性力により、回路基板４は、一対の第２の側面部２ｃ，２ｃの下端２ｃａ，２ｃａ側に押圧される。一対の第２の側面部２ｃ，２ｃ間は、回路基板４の幅寸法よりも小さいので、回路基板４の両端縁は、前記弾性力により、絶縁シート３を介して一対の第２の側面部２ｃ，２ｃの下端２ｃａ，２ｃａ側へ押圧される。これにより、回路基板４は、一対の第１の側面部２ｂ，２ｂ間において、絶縁シート３を介して、絶縁シート３の一対の載置部３ｅ，３ｅおよびベースケース２の一対の第２の側面部２ｃ，２ｃの下端２ｃａ，２ｃａにより挟持され、上方および下方の方向に対する移動が規制される。また、回路基板４は、ベースケース２の底面部２ａに設けられた起立片８，８により、その長手方向の移動が規制される。  
【００４４】
図１において、カバーケース５は、例えば鋼板やアルミニウム合金からなり、例えば１枚の平板の折り曲げにより、長方形状の天板部５ａ、この天板部５ａの長手方向に沿う両端に連設し天板部５ａに対して互いに内向きに傾斜する一対の傾斜板部５ｂ，５ｂ、この傾斜板部５ｂ，５ｂの長手方向に沿う両端に連設し、ほぼ平行に対向する一対の側板部５ｃ，５ｃおよび天板部５ａの長手方向の両端に連設し天板部５ａとほぼ直交してカバーケース５の長手方向の両端側の開口１１の上側を略閉塞する略５角形状の一対の端板部５ｄ，５ｄに形成されている。一対の側板部５ｃ，５ｃは、一対の傾斜板部５ｂ，５ｂを介して天板部５ａの長手方向に沿う両側から下方に形成されているものである。また、一対の傾斜板部５ｂ，５ｂは、ベースケース２の一対の第２の側面部２ｃ，２ｃ間を天板部５ａとともに覆い、天板部５ａの一部として機能する。  
【００４５】
カバーケース５は、その長手方向が回路基板４の入力用端子台９および出力用端子台１０の間に位置する大きさに形成され、一対の端板部５ｄ，５ｄがそれぞれ入力用端子台９および出力用端子台１０の近傍に位置している。また、ベースケース２にカバーケース５を嵌着したときに、一対の側板部５ｃ，５ｃの開放端（下端）５ｃａ，５ｃａがベースケース２の第１の側面部２ｂ，２ｂの上端２ｂａ，２ｂａに当接しないように、一対の側板部５ｃ，５ｃの出幅寸法（長手方向と直交する方向の寸法）が設定されている。また、端板部５ｄの開放端５ｄａが回路基板４の上面４ａに当接することがないように、端板部５ｄの天板部５ａからの深さ（高さ）が設定されている。  
【００４６】
そして、一対の側板部５ｃ，５ｃは、その内面がベースケース２の一対の第２の側面部２ｃ，２ｃの外面に重なり合うことができるように、その間隔が設定されている。また、長手方向の両端側には、ベースケース２の一対の第２の側面部２ｃ，２ｃの外面に形成された嵌合凹部に嵌合する図示しない凸部が形成されている。  
【００４７】
カバーケース５は、図３に示すように、絶縁シート３の一端部３ａおよび他端部３ｂを内部に挿入するようにして、ベースケース２側に移動される。そして、一対の側板部５ｃ，５ｃの内面をベースケース２の一対の第２の側面部２ｃ，２ｃの外面に重なり合わせて、凸部を嵌合凹部に嵌合させることにより、図１に示すように、ベースケース２に嵌着される。このとき、絶縁シート３の一端部３ａおよび他端部３ｂは、カバーケース５の内面に沿って変形しながら移動し、互いに重なり合うようになる。これにより、電気部品７を実装している回路基板４は、絶縁シート３により被われ、金属製のベースケース２およびカバーケース５と電気絶縁される。  
【００４８】
また、ベースケース２の一対の第２の側面部２ｃ，２ｃは、カバーケース５の板厚（例えば０．６ｍｍ）分、一対の第１の側面部２ｂ，２ｂよりも内側に偏位して形成されているので、ベースケース２にカバーケース５を嵌着したときに、ベースケース２の一対の第１の側面部２ｂ，２ｂの外面およびカバーケース５の一対の側板部５ｃ，５ｃの外面は、同一面状となっている。  
【００４９】
次に、本発明の実施例１の作用について述べる。  
【００５０】
回路基板４は、ベースケース２の一対の第１の側面部２ｂ，２ｂ間において、絶縁シート３の一対の載置部３ｅ，３ｅに載置され、一対の支持部３ｄ，３ｄの弾性力により上方に押圧される。回路基板４の幅方向（短手方向）の寸法（大きさ）は、ベースケース２の一対の第２の側面部２ｃ，２ｃ間よりも０．５〜１．０ｍｍ大きいので、回路基板４は、絶縁シート３を介して一対の第２の側面部２ｃ，２ｃの下端２ｃａ，２ｃａを押圧する。そして、この押圧による反作用力を前記下端２ｃａ，２ｃａから受ける。  
【００５１】
回路基板４は、絶縁シート３の一対の載置部３ｅ，３ｅおよびベースケース２の一対の第２の側面部２ｃ，２ｃの下端２ｃａ，２ｃａにより挟持されるようになり、上方および下方の方向への移動が規制される。また、回路基板４は、絶縁シート３の設置部３ｃおよび一対の支持部３ｄ，３ｄによりベースケース２の底面部２ａから浮上する。  
【００５２】
また、回路基板４は、ベースケース２の底面部２ａに設けられた一対の起立片８，８により、その長手方向の移動が規制される。こうして、回路基板４は、絶縁シート３を介してベースケース２の一対の第１の側面部２ｂ，２ｂ間に収納されているとともに、絶縁シート３により被われている。  
【００５３】
上述したように、回路基板４は、絶縁シート３の一対の載置部３ｅ，３ｅおよびベースケース２の一対の第２の側面部２ｃ，２ｃの下端２ｃａ，２ｃａで挟持されて保持されるものである。すなわち、当該保持のために、ベースケース２およびカバーケース５に凸部や切り起しなどによる支持部や保持部を形成しないものであり、あるいは当該形成が少なくて済むものである。したがって、ベースケース２およびカバーケース５のケース構造を簡素化することができるとともに、ケース製造に対する設備費を削減することができて放電灯用点灯装置（電気機器）１を安価に製造することができる。  
【００５４】
そして、ベースケース２の一対の第２の側面部２ｃ，２ｃは、それぞれカバーケース５の板厚（例えば０．６ｍｍ）分、一対の第１の側面部２ｂ，２ｂの内側に形成されている。これにより、ベースケース２にカバーケース５を嵌着したときに、ベースケース２の一対の第１の側面部２ｂ，２ｂの外面およびカバーケース５の一対の側板部５ｃ，５ｃの外面が同一面状となる。すなわち、ベースケース２およびカバーケース５の外面に段差が生じないようにしている。この結果、放電灯用点灯装置（電気機器）１の外観性を向上させることができるとともに、取り扱いを容易にすることができる。
【００５５】
また、一対の第２の側面部２ｃ，２ｃの上記形成により、ベースケース２における一対の第２の側面部２ｃ，２ｃ間が最大の間隔となり、それに付随して回路基板４の幅方向（短手方向）が大きくなって電気部品７の実装面積が大きくなる。これにより、回路基板４での電気部品７の実装面積を確保するためにベースケース２および回路基板４を大きくすることを抑制することができる。
【実施例２】
【００５６】
図４は、本発明の実施例２を示す照明器具であり、（ａ）は概略上面図、（ｂ）は概略正面図、（ｃ）は一部切り欠き概略側面図である。なお、図１と同一部分には、同一符号を付して説明は省略する。
【００５７】
図４に示す照明器具１２は、天井等の造営物に設置される直付け照明器具である。照明器具１２は、逆富士形に形成された器具本体１３の内部に図１に示す放電ランプ用点灯装置１を配設している。また、器具本体１３の長手方向の両端側には、それぞれ対を成すランプソケット取付金具１４，１４がねじ１５により固定されている。このランプソケット取付金具１４，１４にランプソケット１６，１６が取り付けられている。そして、ランプソケット１６，１６に放電ランプとしての直管形の蛍光ランプ１７が装着されている。
【００５８】
蛍光ランプ１７は、放電ランプ用点灯装置１の動作により点灯する。蛍光ランプ１７が点灯すると、蛍光ランプ１７からの放射光が直接光および器具本体１３の反射面で反射された反射光となって被照射面側に照射される。
【００５９】
照明器具１２は、ケース構造が簡素化されて安価に形成される放電ランプ用点灯装置１を具備しているので、安価に製造することができる。
【産業上の利用可能性】
【００６０】
本発明の電機機器は、放電ランプ用点灯装置の他、モータを駆動させる駆動装置、定電流や定電圧を出力する電源装置などに用いることができる。
【符号の説明】
【００６１】
１…電気機器としての放電ランプ用点灯装置、  ２…ベースケース、  ２ａ…底面部、  ２ｂ，２ｂ…一対の第１の側面部、  ２ｃ，２ｃ…一対の第２の側面部、  ３…絶縁シート、  ３ｃ…設置部、  ３ｄ，３ｄ…一対の支持部、  ３ｅ，３ｅ…一対の載置部、  ４…回路基板、  ５…カバーケース、  ５ａ…天板部、  ５ｃ，５ｃ…一対の側板部、  １２…照明器具、  １３…器具本体、  １７…放電ランプとしての蛍光ランプ
【図１】
2010277720.tif 000003
【図２】
2010277720.tif 000004
【図３】
2010277720.tif 000005
【図４】
2010277720.tif 000006